(57)【要約】【課題】ドレンホースを車体パネルに組み付ける際に組み付けの完了を作業者に把握しやすくしながら、組み付け後のドレンホースが車体パネルから外れにくくし、しかも、部品点数を削減する。【解決手段】ドレンホース１は、ドレンホース本体１０と、硬質部材２０とを備えている。硬質部材２０には、切欠部と、ツメ部２１とが設けられている。ドレンホース本体１０の外周面における硬質部材２０が取り付けられた部分には、切欠部内に位置するように突出し、ドレンホース本体１０に対して貫通孔からの抜き方向に力が作用した際に切欠部の縁部２２ａを硬質部材２０の拡径方向に押圧する突出部１４が設けられている。【選択図】図９
2015127151.tif 000002
【特許請求の範囲】
【請求項１】
車室内に搭載される車両用空調装置のケーシング内に溜まる凝縮水を車室外へ排水するためのドレンホースにおいて、
上流側が上記ケーシングの排水口に接続され、下流側が車体パネルに形成された貫通孔から車室外に臨むように配設されて該貫通孔の周縁部に接触するように形成された弾性部材からなるドレンホース本体と、
上記ドレンホース本体の下流側の外周面を囲むように形成されて該下流側に取り付けられるとともに、上記ドレンホース本体よりも硬い材料からなる硬質部材とを備え、
上記硬質部材には、周方向の一部を切り欠いて形成された切欠部と、上記車体パネルの貫通孔の周縁部に対し車室外から係合するツメ部とが設けられ、
上記ドレンホース本体における上記硬質部材が取り付けられた部分には、上記切欠部内に位置するように突出し、該ドレンホース本体に対して上記貫通孔からの抜き方向に力が作用した際に上記切欠部の縁部を上記硬質部材の拡径方向に押圧する押圧部が設けられていることを特徴とするドレンホース。
【請求項２】
請求項１に記載のドレンホースにおいて、
上記硬質部材の切欠部の幅は、該硬質部材における車室内側へ向けて狭くなっていることを特徴とするドレンホース。
【請求項３】
請求項１または２に記載のドレンホースにおいて、
上記ドレンホース本体の上記押圧部の幅は、該押圧部における車室外側へ向けて広くなっていることを特徴とするドレンホース。
【請求項４】
請求項１から３のいずれか１つに記載のドレンホースにおいて、
上記ドレンホース本体の下流側には、該ドレンホース本体の径方向外方へ延出して上記車体パネルの貫通孔の周縁部に接触するシール部が全周に亘って設けられていることを特徴とするドレンホース。
【発明の詳細な説明】
【技術分野】
【０００１】
本発明は、例えば車両用空調装置の凝縮水を排水する際に使用するドレンホースに関するものである。
【背景技術】
【０００２】
従来より、例えば車両用空調装置には、ケーシング内に溜まった凝縮水を車室外に排水するためのドレンホースが設けられている（例えば、特許文献１参照）。特許文献１に開示されているものは、弾性体であるゴム材からなる軟質ホース部と、ポリプロピレン材等の樹脂材からなる硬質部とを有している。軟質ホース部の上流端部がケーシングの底壁部に形成された排水口に接続されている。硬質部には管部が設けられており、軟質ホースの下流端部が硬質部の管部の上流端に接続されている。硬質部は、車体パネルに対して車室側から組み付けられ、この状態で管部の下流端が車体パネルに形成された貫通孔から車室外へ臨むようになっている。
【０００３】
また、硬質部の管部の下流端部と車体パネルの貫通孔周縁部との間には、止水パッキンが配設されている。
【先行技術文献】
【特許文献】
【０００４】
【特許文献１】特許第４８８２８８４号公報
【発明の概要】
【発明が解決しようとする課題】
【０００５】
ところで、特許文献１では、硬質部を設けることで軟質ホース部の下流端部を車体パネルに対して位置決めするようにしている。この硬質部は弾性変形しないものであるため、車体パネルの貫通孔周縁部との間に止水パッキンを設けなければならない。このため、少なくとも、軟質ホース部、硬質部、止水パッキンの３つの部材が必要になり、部品点数が多いという問題がある。
【０００６】
また、ドレンホースを車体へ組み付けた後、仮にドレンホースが引っ張られたとしても車体パネルから外れにくくしておかなければならない。さらに、ドレンホースを車体へ組み付ける際、作業者が組み付けの完了を明確に把握できるようにしたいという要求もある。
【０００７】
本発明は、かかる点に鑑みてなされたものであり、その目的とするところは、ドレンホースを車体パネルに組み付ける際に組み付けの完了を作業者に把握しやすくしながら、組み付け後のドレンホースが車体パネルから外れにくくし、しかも、部品点数を削減することにある。
【課題を解決するための手段】
【０００８】
上記目的を達成するために、本発明では、弾性材からなるドレンホース本体に、ツメ部を有する硬質部材を取り付け、このツメ部を車体パネルの貫通孔周縁部に係合させるようにした。
【０００９】
第１の発明は、
車室内に搭載される車両用空調装置のケーシング内に溜まる凝縮水を車室外へ排水するためのドレンホースにおいて、
上流側が上記ケーシングの排水口に接続され、下流側が車体パネルに形成された貫通孔から車室外に臨むように配設されて該貫通孔の周縁部に接触するように形成された弾性部材からなるドレンホース本体と、
上記ドレンホース本体の下流側の外周面を囲むように形成されて該下流側に取り付けられるとともに、上記ドレンホース本体よりも硬い材料からなる硬質部材とを備え、
上記硬質部材には、周方向の一部を切り欠いて形成された切欠部と、上記車体パネルの貫通孔の周縁部に対し車室外から係合するツメ部とが設けられ、
上記ドレンホース本体における上記硬質部材が取り付けられた部分には、上記切欠部内に位置するように突出し、該ドレンホース本体に対して上記貫通孔からの抜き方向に力が作用した際に上記切欠部の縁部を上記硬質部材の拡径方向に押圧する押圧部が設けられていることを特徴とする。
【００１０】
この構成によれば、硬質部材の切欠部を拡げるようにして硬質部材の内方にドレンホース本体を挿入することで硬質部材がドレンホース本体の下流側に取り付けられる。そして、ドレンホース本体の下流側を車体パネルの貫通孔に挿入すると、硬質部材のツメ部が貫通孔の周縁部に対し車室外から係合する。このとき、ツメ部が硬質部材の一部であるため、車体パネルの貫通孔の周縁部に係合した際に音や振動が発生する。これにより、ツメ部が貫通孔の周縁部に係合したか否かを作業者が把握することが可能になる。
【００１１】
ツメ部が貫通孔の周縁部に係合した後、例えばドレンホース本体に対して貫通孔からの抜き方向に力が作用した際、硬質部材の切欠部内に位置する押圧部が切欠部の縁部を硬質部材の拡径方向に押圧することになるので、ツメ部が貫通孔の周縁部に押し付けられることになり、ツメ部の係合がより一層強固になる。
【００１２】
また、ドレンホース本体が弾性部材からなるので、ドレンホース本体の下流側が車体パネルの貫通孔の周縁部に接触した状態で貫通孔の周縁部の形状に沿うように弾性変形する。これにより、従来例のような止水パッキンを設けなくても貫通孔の周縁部のシール性が確保される。
【００１３】
第２の発明は、第１の発明において、
上記硬質部材の切欠部の幅は、該硬質部材における車室内側へ向けて狭くなっていることを特徴とする。
【００１４】
この構成によれば、硬質部材の切欠部の幅が車室内側へ行くほど狭くなっているので、ドレンホース本体に対して車室内側へ向けて抜き方向に力が作用した際に、切欠部内に位置する押圧部が切欠部の幅を広げるように該切欠部の縁部を押圧する。これにより、硬質部材が確実に拡径する。
【００１５】
第３の発明は、第１または２の発明において、
上記ドレンホース本体の上記押圧部の幅は、該押圧部における車室外側へ向けて広くなっていることを特徴とする。
【００１６】
この構成によれば、ドレンホース本体の押圧部の幅が車室外側へ行くほど広くなっているので、ドレンホース本体に対して車室内側へ向けて抜き方向に力が作用した際に、切欠部内に位置する押圧部が楔のように働いて切欠部の幅を広げる。これにより、硬質部材が確実に拡径する。
【００１７】
第４の発明は、第１から３のいずれか１つの発明において、
上記ドレンホース本体の下流側には、該ドレンホース本体の径方向外方へ延出して上記車体パネルの貫通孔の周縁部に接触するシール部が全周に亘って設けられていることを特徴とする。
【００１８】
この構成によれば、ドレンホース本体の下流側を車体パネルの貫通孔に挿入するとシール部が貫通孔の周縁部に全周に亘って接触するので高いシール性が得られる。
【発明の効果】
【００１９】
第１の発明によれば、ツメ部を有する硬質部材をドレンホース本体の下流側に設けているので、ドレンホースを車体パネルに組み付ける際に組み付けの完了を作業者が把握しやすくなる。また、ドレンホース本体に対して貫通孔からの抜き方向に力が作用した際に硬質部材の切欠部の縁部を硬質部材の拡径方向に押圧するようにしたので、組み付け後のドレンホースが車体パネルから外れにくくなる。さらに、止水パッキンを設けなくても貫通孔の周縁部のシール性を確保できるので、部品点数を削減することができる。
【００２０】
第２の発明によれば、硬質部材の車室内側へ向けて切欠部の幅が狭くなるようにしたので、ドレンホース本体に対して車体パネルの貫通孔から車室内側へ向けて抜け方向に力が作用した際に硬質部材を確実に拡径させることができる。これにより、ツメ部を貫通孔の周縁部により一層強固に係合させることができる。
【００２１】
第３の発明によれば、ドレンホース本体の押圧部の幅を車室外側へ向けて広くしたので、ドレンホース本体に対して車体パネルの貫通孔から車室内側へ向けて抜け方向に力が作用した際に硬質部材を確実に拡径させることができる。これにより、ツメ部を貫通孔の周縁部により一層強固に係合させることができる。
【００２２】
第４の発明によれば、ドレンホース本体の下流側に、車体パネルの貫通孔の周縁部に接触するシール部を全周に亘って設けたので高いシール性を得ることができる。
【図面の簡単な説明】
【００２３】
【図１】本発明の実施形態に係るドレンホースの右側面図である。
【図２】ドレンホースの左側面図である。
【図３】ドレンホースの背面図である。
【図４】ドレンホースの平面図である。
【図５】ドレンホースの底面図である。
【図６】図１におけるVI−VI線断面図である。
【図７】図３におけるVII−VII線断面図である。
【図８】図３におけるVIII−VIII線断面図である。
【図９】ドレンホース下部の斜視図である。
【図１０】ドレンホース下部の分解斜視図である。
【図１１】硬質部材の斜視図である。
【図１２】図１におけるVI−VI線に相当する断面図であり、（ａ）は車体へ組み付ける前の状態を示し、（ｂ）は車体へ組み付けた状態を示す。
【発明を実施するための形態】
【００２４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２５】
図１は本発明の実施形態に係るドレンホース１の右側面図であり、図２は左側面図である。ドレンホース１は、例えば自動車等の車室内に搭載される車両用空調装置のケーシング１００（図３に仮想線で示す）内に溜まる凝縮水を車室外へ排水するためのものである。ケーシング１００内には、図示しないが空調用空気を冷却するための冷却用熱交換器が収容されている。ケーシング１００の底壁部１００には、最も低くなった部位から下方へ突出するドレン管１０２が設けられている。従って、冷却用熱交換器の表面で凝縮した凝縮水はケーシング１００の底壁部１０１に流下してドレン管１０２に向かって流れ、図示しないがドレン管１０２の下流端部に開口する排水口（図示せず）からケーシング１００外へ流出するようになっている。
【００２６】
尚、この実施形態の説明では、車両前側を単に「前」といい、車両後側を単に「後」といい、車両左側を単に「左」といい、車両右側を単に「右」というものとする。
【００２７】
ドレンホース１は、例えばゴム等の弾性部材からなるドレンホース本体１０と、例えばナイロン等の硬い材料からなる硬質部材２０とを備えている。硬質部材２０の材料としては、ドレンホース本体１０よりも硬ければよく、ナイロンに限られるものではないが、後述するように、ある程度の弾性を持っており、弾性変形領域で拡径することが可能な材料が好ましい。
【００２８】
ドレンホース本体１０は、略上下方向に延びており、上側が上流側とされ、下側が下流側とされている。ドレンホース本体１０の上流側には、ケーシング１０１のドレン管１０２の排水口に接続される上流側接続部１１が設けられている。上流側接続部１１は、ドレンホース本体１０の中間部分よりも大径に形成されており、斜め上方へ延びている。ドレン管１０２の先端部が上流側接続部１１に嵌入された状態でドレン管１０２の外周面と上流側接続部１１の内周面とが密着してシール性が確保されるようになっている。
【００２９】
ドレンホース本体１０における上流側接続部１１よりも下流側には背面視（図３に示す）で略直角に屈曲する第１屈曲部１０ａが設けられている。ドレンホース本体１０における第１屈曲部１０ａよりも下流側は図１に示すように斜め下方へ直線状に延びている。ドレンホース本体１０の上下方向中央部近傍には、第２屈曲部１０ｂが設けられている。さらに、ドレンホース本体１０における第２屈曲部１０ｂよりも下流側は図１〜３に示すように略鉛直に延びている。ドレンホース本体１０の下流側には、第３屈曲部１０ｃが設けられており、ドレンホース本体１０の下流側は右側へ突出している。
【００３０】
ドレンホース本体１０の下流側は、図１２（ｂ）に示す車体パネルＰに形成された貫通孔Ｐ１から車室外に臨むように配設される。この実施形態では、車体パネルＰが車両のフロアトンネルの側壁部を構成する場合を示しており、従って車体パネルＰは上下方向に延びている。車体パネルＰの貫通孔Ｐ１は略円形である。尚、車体パネルＰの延びる方向は、上下方向に限られるものではなく、例えばフロアパネル等のように略水平方向であってもよい。この場合、車体パネルＰと直交する方向に延びるようにドレンホース本体１０の下流側を形成すればよい。
【００３１】
ドレンホース本体１０の下流側にはシール部１２が設けられている。このシール部１２は、図１２（ｂ）に示すように車体パネルＰの貫通孔Ｐ１の周縁部に接触することによって貫通孔Ｐ１の周縁部とドレンホース本体１０の下流側との間をシールするためのものである。シール部１２は、ドレンホース本体１０の下流側の外周面から径方向外方へ延出し、該ドレンホース本体１０の全周に亘って形成されたフランジ状をなしている。このシール部１２は、その形状がフランジ状であることから該シール部１２の厚み方向に容易に弾性変形するようになるので、貫通孔Ｐ１の周縁部に接触した際、周縁部の形状に沿うようになる。
【００３２】
シール部１２における延出方向先端部には、車体パネルＰ側へ突出して環状に連続して延びる突条部１２ａが形成されている。この突条部１２ａが車体パネルＰに接触する。また、シール部１２における車体パネルＰと反対側の面には、ドレンホース本体１０の外周面に連なる複数のリブ１２ｂが周方向に互いに間隔をあけて設けられている。
【００３３】
ドレンホース本体１０のシール部１２よりも下流側には、硬質部材２０が取り付けられる硬質部材取付部１３が設けられている。硬質部材取付部１３は、左右方向に延びる中心線を有する略円環状に形成されている。図１０等に示すように、硬質部材取付部１３の外周面の下部には、下方へ突出する突出部（押圧部）１４が形成されている。この突出部１４は、後述する硬質部材２０の切欠部２２内に位置するように突出したものである。
【００３４】
また、硬質部材取付部１３の外周面には、３つの平坦面１３ｂ（図７、図１０に示す）が周方向に互いに間隔をあけて形成されている。平坦面１３ｂは、硬質部材取付部１３の外周面の上部、前側、後側にそれぞれ配置されている。
【００３５】
突出部１４におけるドレンホース本体１０の周方向両側面１４ａ、１４ａ（図５、図９及び図１０に示す）は略上下方向に延びている。また、図５に示すように下方から見たとき、突出部１４の両側面１４ａ、１４ａは、硬質部材取付部１３の中心線に対して傾斜しており、その傾斜方向は、突出部１４における車室外側へ行くほど互いに離れる方向となっている。従って、突出部１４の幅は、突出部１４における車室外側へ向けて広くなっている。
【００３６】
また、図６等に示すように、ドレンホース本体１０の硬質部材取付部１３よりも下流側の端面には、下流端開口１０ｄが形成されている。図９等に示すように、ドレンホース本体１０の下流端開口１０ｄの周縁部には、径方向に延出する延出部１５が設けられている。延出部１５の周縁部は、硬質部材取付部１３の外周面よりも外方に位置している。延出部１５の下部１５ａは、上部や側部に比べて大きく延出している。図６に示すように、延出部１５の下部１５ａの端部と、シール部１２の下端部とは、略同じ高さに位置している。延出部１５の下部１５ａは、幅方向（前後方向）の中央部が最も車体パネルＰの外面に接近するように湾曲している。
【００３７】
図９〜図１１に示すように、硬質部材２０は、ドレンホース本体１０の硬質部材取付部１３（下流側）を囲むように形成されている。硬質部材２０の周方向の一部には、切欠部２２が設けられており、この切欠部２２の形成によって硬質部材２０はその一部が非連続状態となり、外力による拡径及び縮径が可能になる。この実施形態では、硬質部材２０は略Ｃ字状をなしており、切欠部２２が下に位置するように硬質部材取付部１３に取り付けられる。また、切欠部２２の幅は、ドレンホース本体１０の硬質部材取付部１３の外径よりも十分に狭く設定されている。
【００３８】
切欠部２２の周方向両縁部２２ａ、２２ａ（図５、図１１に示す）は、下方から見たとき、硬質部材２０における車室内側へ行くほど互いに接近する方向に傾斜している。従って、切欠部２２の幅は、硬質部材２０における車室内側へ向けて狭くなっている。
【００３９】
また、硬質部材２０の周縁部には図１０及び図１１に示すように面取り部２０ｃが設けられている。この面取り部２０ｃは、硬質部材２０を車体パネルＰの貫通孔Ｐ１に挿入する際に硬質部材２０の縁部が貫通孔Ｐ１の周縁部に引っかからないようにするためのものである。
【００４０】
硬質部材２０には、図１２に示すように車体パネルＰの貫通孔Ｐ１の周縁部に対し車室外から係合する３つのツメ部２１が設けられている。ツメ部２１は、硬質部材取付部１３の外周面に形成されている平坦面１３ｂと一致するように周方向に互いに間隔をあけて形成されている。つまり、ツメ部２１は、硬質部材２０の上部、前側、後側にそれぞれ配置されている。
【００４１】
各ツメ部２１は同じ構成であり、可撓片２１ａと、可撓片２１ａから突出する突部２１ｂとを有している。すなわち、硬質部材２０には、可撓片２１ａを硬質部材２０の本体部分に対して該硬質部材２０の内外方向に撓ませることができるようにコ字状に延びるスリット２３が形成されている。可撓片２１ａは、硬質部材２０における車室外側の縁部と一体化している。従って、可撓片２１ａは、可撓片２１ａの車室内側が硬質部材２０の内外方向に変位するように撓む。
【００４２】
突部２１ｂは、可撓片２１ａの車室内側から硬質部材２０の径方向外方へ突出するように設けられている。突部２１ｂの可撓片２１ａからの突出高さは、突部２１ｂの先端が硬質部材２０の本体部分の外周面よりも径方向外方に位置するように設定されている。突部２１ｂは、車体パネルＰの貫通孔Ｐ１の周縁部に係合する部位である。
【００４３】
次に、上記のように構成された硬質部材２０をドレンホース本体１０に取り付ける要領について説明する。まず、硬質部材２０の切欠部２２の幅が広がるように硬質部材２０を拡径する。一方、ドレンホース本体１０の硬質部材取付部１３は、硬質部材２０の切欠部２２内に入るように弾性変形させ、硬質部材取付部１３を切欠部２２から硬質部材２０に完全に挿入した後、ドレンホース本体１０及び硬質部材２０に対する外力を除く。すると、図９に示すようにドレンホース本体１０及び硬質部材２０の形状が復元して硬質部材２０がドレンホース本体１０の硬質部材取付部１３を囲むようにして取り付けられる。この状態で、ドレンホース本体１０の突出部１４が切欠部２２内に位置することになる。つまり、ドレンホース本体１０の外周面における硬質部材２０が取り付けられた部分には、切欠部２２内に位置するように突出する突出部１４が設けられている。これにより、硬質部材２０の回転が防止される。
【００４４】
次に、ドレンホース１を車体に組み付ける場合について説明する。まず、硬質部材２０を取り付けたドレンホース本体１０の上流側接続部１１をケーシング１０１のドレン管１０２に接続する。
【００４５】
その後、ドレンホース本体１０の下流側を車体パネルＰに固定する。すなわち、始めに、図１２（ａ）に示すように、ドレンホース本体１０の下流側を車体パネルＰの貫通孔Ｐ１に対して車室内側から対向するように配置する。そして、ドレンホース本体１０の延出部１５の下部１５ａを上部よりも先に貫通孔Ｐ１に挿入する。延出部１５の下部１５ａを貫通孔Ｐ１に挿入した後、ドレンホース本体１０の下流側を車室内側から貫通孔Ｐ１の周縁部に押し付けると、延出部１５が貫通孔Ｐ１に押し込まれるとともに、硬質部材２０のツメ部２１が貫通孔Ｐ１の周縁部に接触して硬質部材２０の径方向内側に変位するように撓み、貫通孔Ｐ１を乗り越える。硬質部材２０のツメ部２１が貫通孔Ｐ１を乗り越えて車室外側に達すると、図１２（ｂ）に示すようにツメ部２１の形状が復元して貫通孔Ｐ１の周縁部に車室外側から係合してドレンホース本体１０の下流側が車体パネルＰに固定された状態になる。ツメ部２１が貫通孔Ｐ１の周縁部に係合する際、ツメ部２１が硬質部材２０の一部であるため、音や振動を発する。これにより、ツメ部２１が車体パネルＰの貫通孔Ｐ１の周縁部に係合したか否かを作業者が音や振動等によって把握することが可能になる。
【００４６】
この状態では、ドレンホース本体１０のシール部１２が車体パネルＰの貫通孔Ｐ１の周縁部に接触し、該貫通孔Ｐ１の周縁部の形状に沿うように変形する。これにより、従来例のような止水パッキンを設けなくても、ドレンホース本体１０と貫通孔Ｐ１の周縁部との間のシール性が高まる。
【００４７】
ツメ部２１が貫通孔Ｐ１の周縁部に係合した後、例えばドレンホース本体１０が車室内側から引っ張られ、ドレンホース本体１０に対して貫通孔Ｐ１からの抜き方向に力が作用することがある。このとき、硬質部材２０の切欠部２２内には、ドレンホース本体１０の突出部１４が位置しており、この突出部１４の幅が車室外側へ行くほど広くなっているので、ドレンホース本体１０が車室内側へ向けて引っ張られると、切欠部２２内に位置する突出部１４が楔のように働いて切欠部１４の幅を広げるように切欠部２２の縁部２２ａ、２２ａを突出部１４の両側面１４ａ、１４ａが押圧する。これにより、硬質部材２０が確実に拡径してツメ部２１が貫通孔Ｐ１の周縁部に押し付けられることになり、ツメ部２１の係合がより一層強固になる。
【００４８】
また、硬質部材２０の切欠部２２の幅が車室内側へ行くほど狭くなっているので、ドレンホース本体１０が車室内側へ向けて引っ張られると、切欠部２２内に位置する突出部１４が切欠部２２の幅を広げるように該切欠部２２の縁部２２ａ、２２ａを押圧する。このことによっても、硬質部材２０が確実に拡径する。
【００４９】
以上説明したように、この実施形態に係るドレンホース１によれば、ツメ部２１を有する硬質部材２０を設けているので、ドレンホース１を車体パネルＰに組み付ける際に組み付けの完了を作業者が把握しやすくなる。また、ドレンホース本体１０に対して貫通孔Ｐ１からの抜き方向に力が作用した際に硬質部材２０の切欠部２２の縁部２２ａ、２２ａを硬質部材２０の拡径方向に押圧するようにしたので、組み付け後のドレンホース１が車体パネルＰから外れにくくなる。さらに、止水パッキンを設けなくても貫通孔Ｐ１の周縁部のシール性を確保できるので、部品点数を削減することができる。
【００５０】
また、硬質部材２０の車室内側へ向けて切欠部２２の幅が狭くなるようにしたので、ドレンホース本体１０に対して車室内側へ向けて引張力が作用した際に硬質部材２０を確実に拡径させることができる。これにより、ツメ部２１を貫通孔Ｐ１の周縁部により一層強固に係合させることができる。
【００５１】
また、ドレンホース本体１０の突出部１４の幅を車室外側へ向けて広くしたので、ドレンホース本体１０に対して車室内側へ向けて引張力が作用した際に硬質部材２０を確実に拡径させることができる。このことによってもツメ部２１を貫通孔Ｐ１の周縁部により一層強固に係合させることができる。
【００５２】
また、ドレンホース本体１０の下流側に、車体パネルＰの貫通孔Ｐ１の周縁部に接触するシール部１２を全周に亘って設けたので高いシール性を得ることができる。
【００５３】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５４】
以上説明したように、本発明に係るドレンホースは、例えば車両用空調装置に使用することができる。
【符号の説明】
【００５５】
１            ドレンホース
１０          ドレンホース本体
１２          シール部
１４          突出部
２０          硬質部材
２１          ツメ部
２２          切欠部
１００        ケーシング
Ｐ            車体パネル
Ｐ１          貫通孔
【図１】
2015127151.tif 000003
【図２】
2015127151.tif 000004
【図３】
2015127151.tif 000005
【図４】
2015127151.tif 000006
【図５】
2015127151.tif 000007
【図６】
2015127151.tif 000008
【図７】
2015127151.tif 000009
【図８】
2015127151.tif 000010
【図９】
2015127151.tif 000011
【図１０】
2015127151.tif 000012
【図１１】
2015127151.tif 000013
【図１２】
2015127151.tif 000014